(57)【特許請求の範囲】
【請求項１】
表示部とスライドモジュールを内蔵する第１筐体と、
操作部を有する第２筐体と、
外部と通信を行う通信部とを備え、
前記第１筐体と前記第２筐体とは、前記スライドモジュールにより開状態及び閉状態にスライド可能に連結されており、
前記スライドモジュールは、導電性を有し、前記開状態から前記閉状態に遷移した場合に収縮し、かつ前記閉状態から前記開状態に遷移した場合に伸張するスプリングコイルと、該スプリングコイルの内側に挿入されて、該スプリングコイルを支持するスプリングコイルガイドの組み合わせにより構成されており、
前記スプリングコイルは、一方端部が前記通信部の給電点に接続され、
前記通信部は、外部と通信を行う際に、前記給電点に接続されている前記スプリングコイルをアンテナのエレメントとして利用する携帯通信端末。
【発明の詳細な説明】
【技術分野】
【０００１】
本発明は、外部機器と通信を行う機能を有する携帯通信端末に関する。
【背景技術】
【０００２】
スライド式の携帯電話において、第１筐体と第２筐体をスライド可能に構成するスライドモジュールと、第１筐体又は第２筐体に収容されている基板を、リアクタンス素子を介して接続を行うことにより、インピーダンス特性を改善し、アンテナ放射特性の広帯域化を図る技術が開示されている（特許文献１を参照）。
【先行技術文献】
【特許文献】
【０００３】
【特許文献１】特開２００６−３２５０９８号公報
【発明の概要】
【発明が解決しようとする課題】
【０００４】
ところで、携帯電話では、インピーダンス特性の改善と共に、スライドモジュールの更なる有効活用を図ることが期待されている。
【０００５】
本発明は、スライドモジュールを有効に活用して通信を行うことができる携帯通信端末を提供することを目的とする。
【課題を解決するための手段】
【０００６】
本発明に係る携帯通信端末は、上記課題を解決するために、表示部とスライドモジュールを内蔵する第１筐体と、操作部を有する第２筐体と、外部と通信を行う通信部とを備え、前記第１筐体と前記第２筐体とは、前記スライドモジュールにより開状態及び閉状態にスライド可能に連結されており、前記スライドモジュールは、導電性を有し、前記開状態から前記閉状態に遷移した場合に収縮し、かつ前記閉状態から前記開状態に遷移した場合に伸張するスプリングコイルと、該スプリングコイルの内側に挿入されて、該スプリングコイルを支持するスプリングコイルガイドの組み合わせにより構成されており、前記スプリングコイルは、一方端部が前記通信部の給電点に接続され、前記通信部は、外部と通信を行う際に、前記給電点に接続されている前記スプリングコイルをアンテナのエレメントとして利用する構成である。
【０００７】
また、携帯通信端末では、前記スライドモジュールは、一組で構成される前記スプリングコイルと、前記スプリングコイルガイドとが複数組で構成されており、前記通信部は、外部と通信を行う際に、前記複数のスプリングコイルによって同時に通信を行う構成が好ましい。
【０００８】
また、携帯通信端末では、前記通信部は、前記スプリングコイルをアンテナのエレメントとして利用し、ＡＭ放送波、ＦＭ放送波、又は地上波デジタル放送波を受信する構成が好ましい。
【０００９】
また、携帯通信端末では、前記スプリングコイルガイドは、フェライトを含む部材で構成され、前記通信部は、前記スプリングコイルをアンテナのエレメントとして利用し、ＡＭ放送波を受信する構成が好ましい。
【００１０】
また、携帯通信端末では、前記スプリングコイルは、鍍金処理が施されており、前記給電点と容量結合することにより高周波的に結合する構成が好ましい。
【００１１】
また、携帯通信端末では、前記通信部は、通信規格としてＬＴＥ（Ｌｏｎｇ  Ｔｅｒｍ  Ｅｖｏｌｕｔｉｏｎ）を採用する構成が好ましい。
【発明の効果】
【００１２】
本発明によれば、スライドモジュールを有効に活用して通信を行うことができる。
【図面の簡単な説明】
【００１３】
【図１】本実施形態に係る携帯電話装置が閉状態に遷移したときの外観斜視図を示す。
【図２】本実施形態に係る携帯電話装置が開状態に遷移したときの外観斜視図を示す。
【図３】本実施形態に係る携帯電話装置の構成を示す機能ブロック図である。
【図４】スライドモジュールの構成と動作についての説明に供する図である。
【図５】スプリングコイルと給電点の接続についての説明に供する図である。
【図６】長さの異なるスプリングコイルを採用した場合についての説明に供する図である。
【図７】通信部の動作についての説明に供する図である。
【図８】ＭＩＭＯを実現するための具体的な構成を示す図である。
【図９】ＭＩＭＯを実現するための具体的な構成を示す図である。
【図１０】整合・給電方式の具体例についての説明に供する図である。
【図１１】ＡＭ放送波を受信するための具体的な構成を示す図である。
【図１２】３段のスライド式の携帯電話装置の構成を示す図である。
【発明を実施するための形態】
【００１４】
以下、本発明の実施の形態について説明する。図１及び図２は、本発明に係る携帯通信端末の一例である携帯電話装置１の外観斜視図を示す。また、本実施の形態では、携帯電話装置１について説明するが、本発明は携帯電話装置に限定されるものではなく、例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００１５】
携帯電話装置１は、操作部側筐体部２（第１の筐体）と、表示部側筐体部３（第２の筐体）を備えて構成される。操作部側筐体部２は、表面部１０に、操作キー群１１と、マイク１２が配置される。操作キー群１１は、電話番号の数字やメール等の文字等を入力するための入力操作ボタンにより構成されている。マイク１２は、携帯電話装置１の使用者が通話時に発した音声が入力される。
【００１６】
また、表示部側筐体部３は、表面部２０に、ＬＣＤ表示部２１と、第１のスピーカ２２と、第２のスピーカ２３と、決定操作キー群２４が配置される。ＬＣＤ表示部２１は、各種情報が表示される。第１のスピーカ２２は、通話の相手側の音声が出力される。決定操作キー群２４は、各種操作における決定やスクロール等を行うボタンにより構成されている。
【００１７】
なお、携帯電話装置１は、上述した以外にも他の構成要素が配置されている。他の構成要素は、例えば、被写体を撮像するＣＣＤ（Ｃｈａｒｇｅ  Ｃｏｕｐｌｅｄ  Ｄｅｖｉｃｅ）カメラやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）カメラ等により構成される撮像部や、音楽を外部に出力するスピーカ等である。
【００１８】
また、操作部側筐体部２の上端部と表示部側筐体部３の下端部とは、スライド機構を有する連結部（以下、スライドモジュール４という）を介して連結されている。したがって、操作部側筐体部２と表示部側筐体部３を互いに重ね合わせ、表示部側筐体部３で操作部側筐体部２の上面を覆う状態（スライドダウン状態であって、以下、閉状態という。）と（図１を参照。）、表示部側筐体部３を操作部側筐体部２に対して長手方向へスライドさせて操作部側筐体部２の覆われていた部分（操作キー群１１とマイク１２）が露出する状態（スライドアップ状態であって、以下、開状態という。）を自在に遷移することができる（図２を参照。）。
【００１９】
また、図３は、携帯電話装置１の構成を示す機能ブロック図である。携帯電話装置１は、図３に示すように、操作部側筐体部２に、操作キー群１１と、マイク１２と、メインアンテナ４０ａと、サブアンテナ４０ｂと、ＲＦ回路部４１と、ＬＣＤ制御部４２と、音声処理部４３と、メモリ４４と、制御部４５と、再生部４６を備え、表示部側筐体部３に、ＬＣＤ表示部２１と、第１のスピーカ２２と、第２のスピーカ２３と、決定操作キー群２４と、ドライバＩＣ２５を備えている。なお、決定操作キー群２４は、操作部側筐体部２に配置されても良い。また、以下では、必要に応じて、操作キー群１１と決定操作キー群２４を総括して操作部６０という。
【００２０】
メインアンテナ４０ａ及びサブアンテナ４０ｂは、第１の使用周波数帯（例えば、８００ＭＨｚ）で基地局等と通信を行い、ＧＰＳ通信のための第２の使用周波数帯（例えば、１．５ＧＨｚ）に対応できるデュアルバンド対応構成である。なお、本実施の形態では、第１の使用周波数帯として、８００ＭＨｚとしたが、これ以外の周波数帯であっても良い。また、メインアンテナ４０ａ及びサブアンテナ４０ｂは、第１の使用周波数帯で外部装置と通信を行い、ＧＰＳ通信のための第２の使用周波数帯に対応できるアンテナを別途設けても良い。
【００２１】
ＲＦ回路部４１は、メインアンテナ４０ａ又はサブアンテナ４０ｂによって受信した信号を復調処理し、処理後の信号を制御部４５に供給する。そして、制御部４５から供給された信号を変調処理し、メインアンテナ４０ａ又はサブアンテナ４０ｂを介して外部装置（基地局）に送信する。また、その一方で、メインアンテナ４０ａ又はサブアンテナ４０ｂによって受信している信号の強度を制御部４５に通知する。また、メインアンテナ４０ａ、サブアンテナ４０ｂ及びＲＦ回路部４１を総括して、通信部５０という。
【００２２】
ＬＣＤ制御部４２は、制御部４５の制御にしたがって、所定の画像処理を行い、処理後の画像データをドライバＩＣ２５に出力する。ドライバＩＣ２５は、ＬＣＤ制御部４２から供給された画像データをフレームメモリに蓄え、所定のタイミングでＬＣＤ表示部２１に出力する。
【００２３】
音声処理部４３は、制御部４５の制御にしたがって、ＲＦ回路部４１から供給された信号に対して所定の音声処理を行い、処理後の信号を第１のスピーカ２２に供給する。第１のスピーカ２２は、音声処理部４３から供給された信号を音声に変換して外部に出力する。
【００２４】
また、音声処理部４３は、制御部４５の制御にしたがって、マイク１２から入力された信号を処理し、処理後の信号をＲＦ回路部４１に供給する。ＲＦ回路部４１は、音声処理部４３から供給された信号に所定の処理を行い、処理後の信号（高周波信号）をメインアンテナ４０ａ又はサブアンテナ４０ｂに供給する。メインアンテナ４０ａ又はサブアンテナ４０ｂは、供給された信号を電波として外部に出力する。
【００２５】
メモリ４４は、例えば、ワーキングメモリを含み、制御部４５による演算処理に利用される。また、メモリ４４には、複数のアプリケーションや当該アプリケーションが必要とする各種のテーブルや、音楽データや、映画データ等が記憶されている。また、メモリ４４は、着脱可能な外部メモリを兼ねていても良い。
【００２６】
再生部４６は、例えば、メモリ４４に格納されている映画データに対して再生処理を行い、再生処理後の映像信号をＬＣＤ制御部４２に供給し、音声信号を第２のスピーカ２３に供給する。なお、再生部４６は、映像信号と音声信号を同期ずれがないように再生処理を行って、それぞれをＬＣＤ制御部４２と第２のスピーカ２３に供給している。したがって、ＬＣＤ表示部２１から出力される映像と、第２のスピーカ２３から出力される音声は、同期がとれたものとなっている。
【００２７】
制御部４５は、携帯電話装置１の全体を制御しており、中央処理装置（ＣＰＵ）等を用いて構成される。また、制御部４５は、原則的に現在アクティブに起動されているアプリケーションに応じて、操作キー群１１や決定操作キー群２４を構成する各キーに割り当てる記号や機能を変化させる制御を行っている。また、メモリ４４には、複数のキーアサインテーブルが格納されており、制御部４５は、起動されているアプリケーションに応じて、参照するキーアサインテーブルを切り替え、操作キー群１１や決定操作キー群２４から送信されてくるキーの位置情報に基づいて所定のキーアサインテーブルを参照し、所定の処理を実行する。
【００２８】
ここで、スライドモジュール４の具体的な構成について説明する。スライドモジュール４は、図４（ａ）に示すように、筒型のスプリングガイド４ａに、スプリングコイル４ｂと、当該スプリングコイル４ｂの内側に挿入されて、当該スプリングコイル４ｂを支持するスプリングコイルガイド４ｃと、スプリングコイルガイド４ｃ上を摺動可能に取り付けられている可動部４ｄを内蔵して構成されている。
また、スプリングコイル４ｂは、一方端部（図４（ａ）中のＡで囲った部分）がスライドモジュール４の壁面４ｅに固定されており、他方端部（図４（ａ）中のＢで囲った部分）が可動部４ｄに固定されている。
【００２９】
また、スプリングガイド４ａは、図４（ａ）に示すように、上面に所定の形状で開口部４ｆが形成されており、当該開口部から可動部４ｄに形成されている突起部４ｇが露出する構造になっている。
【００３０】
スライドモジュール４は、スプリングガイド４ａの開口部４ｆから露出している可動部４ｄの突起部４ｇを、一方向にスライドさせると、スプリングコイル４ｂを収縮し（図４（ｂ））、他方向にスライドさせると、復元力によってスプリングコイル４ｂが伸張するように構成されている（図４（ｃ））。
【００３１】
また、スライドモジュール４は、表示部側筐体部３の表面部２０ではない面（操作部側筐体部２の表面部１０に対向している面）に左右一対で配置され、可動部４ｄの突起部４ｇの先端が操作部側筐体部２の表面部１０の所定の場所に固定されている。ここで、可動部４ｄの突起部４ｇの先端は、出っ張ったフランジ状に形成されている。
【００３２】
このように構成されることにより、携帯電話装置１は、閉状態においては、スプリングガイド４ａ内において、スプリングコイル４ｂが収縮しているが、閉状態から開状態に遷移させた場合には、復元力によってスプリングコイル４ｂが伸張するため、スムーズに開状態に遷移することができる。なお、図示しないが、携帯電話装置１は、閉状態を維持するために、少なくとも、左右一対のスプリングコイル４ｂによる復元力のみによって開状態に遷移しないように固定部材により固定されている。そして、携帯電話装置１は、閉状態において、固定部材から開放されるだけの外力が掛かることによって、スムーズに開状態に遷移する構成になっている。
【００３３】
また、図４（ｄ）は、閉状態における携帯電話装置１を透過的に表した斜視図を示し、図４（ｅ）は、閉状態における携帯電話装置１の側面からみた断面図を示し、図４（ｆ）は、閉状態における携帯電話装置１を上面から透過した透過図をそれぞれ示している。
【００３４】
また、図４（ｇ）は、開状態における携帯電話装置１を透過的に表した斜視図を示し、図４（ｈ）は、開状態における携帯電話装置１の側面からみた断面図を示し、図４（ｉ）は、開状態における携帯電話装置１を上面から透過した透過図をそれぞれ示している。
【００３５】
このように構成される携帯電話装置１は、スライドモジュールの構成を通信部５０による通信に有効に活用することが可能な構成になっている。以下に当該構成について詳細に説明する。
【００３６】
携帯電話装置１は、上述したように、ＬＣＤ表示部２１とスライドモジュール４を内蔵する表示部側筐体部３と、操作部６０を有する操作部側筐体部２と、外部と通信を行う通信部５０とを備える。
【００３７】
表示部側筐体部３と操作部側筐体部２とは、スライドモジュール４により開状態及び閉状態にスライド可能に連結されている。また、スライドモジュール４は、導電性を有し、開状態から閉状態に遷移した場合に収縮し、かつ閉状態から開状態に遷移した場合に所定の復元力で伸張するスプリングコイル４ｂと、当該スプリングコイル４ｂの内側に挿入されて、当該スプリングコイル４ｂを支持するスプリングコイルガイド４ｃの組み合わせにより構成されている。また、スプリングコイル４ｂは、図５に示すように、一方端部（図５中のＡで囲った部分）が通信部５０（不図示）の給電点５０ａに接続されている。また、通信部５０は、外部と通信を行う際に、給電点５０ａに接続されているスプリングコイル４ｂをアンテナのエレメントとして利用する。
【００３８】
このように構成されることによって、携帯電話装置１は、閉状態から開状態へスムーズに遷移させるためのスプリングコイル４ｂを、積極的にアンテナのエレメントとしても利用するので、例えば、従来必要であった通信部５０のアンテナのエレメントを不要にでき、小型化及びコストダウンの要請に応えることが可能になる。なお、携帯電話装置１は、開状態と閉状態によってスプリングコイル４ｂの長さが変わるので、状態に応じて、共振周波数を調整するコンデンサの容量を適宜変更する構成であっても良い。
【００３９】
また、携帯電話装置１は、図５に示すように、左右一対のスプリングコイル４ｂをアンテナのエレメントに利用できるので、ダイバーシティー方式による受信方法を採用しても良い。
【００４０】
ここで、ダイバーシティー方式には、切り替え方式と合成方式の２通りある。切り替え方式は、２つのブランチ（２つのアンテナと場合によっては２つの受信機）で通信品質の高い受信機を選択し、受信品質を保つ方式である。また、合成方式は、２つのブランチの入力を合成し、受信品質を高める方式である。携帯電話装置１は、切り替え方式又は合成方式のいずれを採用しても良い。
【００４１】
また、スライドモジュール４は、上述では、表示部側筐体部３の表面部２０ではない面（操作部側筐体部２の表面部１０に対向している面）に左右一対で配置されるものとして説明したが、これに限られず、一組で構成されるスプリングコイル４ｂと、スプリングコイルガイド４ｃが複数組（２組以上）で構成されても良い。このような構成の場合には、通信部５０は、外部と通信を行う際に、複数のスプリングコイル４ｂによって同時に通信を行い、擬似的な広帯域通信を行う。
【００４２】
このように構成されることによって、携帯電話装置１は、いわゆる複数のアンテナを組み合わせてデータの送受信の帯域を広げる無線通信技術の一つであるＭＩＭＯ（Ｍｕｌｔｉｐｌｅ  Ｉｎｐｕｔ  Ｍｕｌｔｉｐｌｅ  Ｏｕｔｐｕｔ）を実現することができる。よって、携帯電話装置１は、スプリングコイル４ｂの数がｎ個ならば、理論的には、帯域幅をｎ倍に拡張することができる。
【００４３】
このようにして、携帯電話装置１は、閉状態から開状態へスムーズに遷移させるための複数のスプリングコイル４ｂを、積極的にＭＩＭＯ用として、複数のアンテナエレメントとしても利用するので、ＭＩＭＯ専用のアンテナエレメントを必要とせず、小型化及びコストダウンの要請に応えつつ、広帯域通信を実現することができる。なお、携帯電話装置１は、開状態と閉状態によってスプリングコイル４ｂの長さが変わるので、状態に応じて、共振周波数を調整するコンデンサの容量を適宜変更する構成であっても良い。
【００４４】
また、携帯電話装置１は、ＭＩＭＯのみでなく、上述したダイバーシティー方式や、ビーム・フォーミング方式を必要に応じて、適宜に切り替える構成であっても良い。例えば、携帯電話装置１は、高いピーク・データ速度を得たい場合にはＭＩＭＯを選択し、良好なカバレッジを得たい場合にはダイバーシティー方式やビーム・フォーミング方式を選択する。また、携帯電話装置１は、高いキャパシティを得たい場合にはビーム・フォーミング方式又はマルチレイヤ伝送方式との組み合わせを選択する。
【００４５】
また、通信部５０は、スプリングコイル４ｂをアンテナのエレメントとして利用し、ＡＭ放送波（５２２ｋＨｚ〜１６２９ｋＨｚ）、ＦＭ放送波（７６．０ＭＨｚ〜９０．０ＭＨｚ）、又は地上波デジタル放送波（４７０ＭＨｚ〜７７０ＭＨｚ）を受信する構成が好ましい。
【００４６】
このようにして、携帯電話装置１は、閉状態から開状態へスムーズに遷移させるためのスプリングコイル４ｂを、積極的にＡＭ放送波、ＦＭ放送波又は地上波デジタル放送波を受信するアンテナとしても利用するので、ＡＭ放送波、ＦＭ放送波又は地上波デジタル放送波を受信する専用のアンテナを必要とせず、小型化及びコストダウンの要請に応えることができる。
【００４７】
なお、携帯電話装置１は、スプリングコイル４ｂをＡＭ放送波の受信用のアンテナとして利用する場合には、閉回路（ループ）になるように構成する。また、携帯電話装置１は、開状態と閉状態によってスプリングコイル４ｂの長さが変わるので、状態に応じて、共振周波数を調整するコンデンサの容量を適宜変更する構成であっても良い。
【００４８】
また、スプリングコイルガイド４ｃは、フェライトを含む部材で構成されることが好ましい。このような構成の場合には、通信部５０は、スプリングコイル４ｂをアンテナのエレメントとして利用し、ＡＭ放送波を受信する。
【００４９】
このようにして、携帯電話装置１は、スプリングコイルガイド４ｃをフェライトバーとして利用するので、スプリングコイルガイド４ｃとスプリングコイル４ｂとによって、いわゆるフェライトバーアンテナを構成することができ、効率良くＡＭ放送波を受信することができる。また、スプリングコイルガイド４ｃをコアとして、スプリングコイル４ｂは、スプリングガイド４ａに内蔵されるため、スプリングガイド４ａによるシールド効果を享受でき、雑音を抑制することができる。
【００５０】
なお、携帯電話装置１は、スプリングコイル４ｂをＡＭ放送波の受信用のアンテナとして利用するので、スプリングコイル４ｂを閉回路（ループ）になるように構成している。また、携帯電話装置１は、開状態と閉状態によってスプリングコイル４ｂの長さが変わるので、状態に応じて、共振周波数を調整するコンデンサの容量を適宜変更する構成であっても良い。
【００５１】
また、スプリングコイル４ｂの一方端部は、鍍金処理が施されており、給電点５０ａと容量結合することにより高周波的に結合する構成であることが好ましい。なお、鍍金処理の詳細については、後述する。
【００５２】
ここで、スプリングコイル４ｂは、開状態と閉状態を相互に遷移することによって、長さが変化するので、アンテナとして利用されると、共振周波数がずれることになる。そこで、携帯電話装置１は、スプリングコイル４ｂの一方端部と給電点５０ａとが容量結合されるので、この共振周波数のずれを吸収することができる。
【００５３】
よって、携帯電話装置１は、スプリングコイル４ｂの表面を鍍金処理されており、かつ、スプリングコイル４ｂの一方端側と給電点５０ａが容量結合されているので、閉状態から開状態へスムーズに遷移させるスプリングコイル４ｂの本来的な機能（復元力）を損なうことなく、スプリングコイル４ｂをアンテナエレメントしても活用することができる。
【００５４】
また、通信部５０は、通信規格としてＬＴＥ（Ｌｏｎｇ  Ｔｅｒｍ  Ｅｖｏｌｕｔｉｏｎ）を採用する。
【００５５】
ここで、ＬＴＥは、携帯電話の高速なデータ通信仕様の一つで、第３世代携帯電話方式「Ｗ−ＣＤＭＡ」の高速データ通信規格「ＨＳＤＰＡ」をさらに進化させた規格である。また、ＬＴＥでは、下り１００Ｍｂｐｓ以上／上り５０Ｍｂｐｓ以上の高速通信が行えることが規定されている。
【００５６】
したがって、携帯電話装置１は、閉状態から開状態へスムーズに遷移させるためのスプリングコイル４ｂを、積極的にアンテナのエレメントとしても利用し、ＭＩＭＯ等の実現を図ることができるので、次世代通信技術にも対応することができる。
【００５７】
＜他の実施例１＞
また、スプリングコイル４ｂのそれぞれは、相対的に長さが異なっている構成であっても良い。このような構成の場合には、閉状態及び開状態においては、図６（ａ）、（ｂ）に示すように、スプリングコイル４ｂは、それぞれ長さが相対的に異なることになる。
【００５８】
そうすると、携帯電話装置１は、開状態及び閉状態において、長さの異なる４種類のスプリングコイル４ｂを形成することになる。例えば、通信部５０は、図７（ａ）、（ｂ）に示すように、ある周波数帯Ｘにおいて、長い方のスプリングコイル４ｂによって低周波数帯Ｘ１の信号を受信し、短い方のスプリングコイル４ｂにより高周波数帯Ｘ２の信号を受信する。
【００５９】
具体的には、通信部５０は、開状態において、長い方のスプリングコイル４ｂによって低周波数帯の信号を受信（ＦＭ放送波のローバンド帯（７６．０ＭＨｚ〜８３ＭＨｚ）、又は地上波デジタル放送波のローバンド帯（４７０ＭＨｚ〜６２０ＭＨｚ））し、短い方のスプリングコイル４ｂにより高周波数帯の信号を受信する（ＦＭ放送波のハイバンド帯（８３．０ＭＨｚ〜９０ＭＨｚ）又は地上波デジタル放送波のハイバンド帯（６２０ＭＨｚ〜７７０ＭＨｚ））。このようにして、通信部５０は、ＦＭ放送波（７６．０ＭＨｚ〜９０．０ＭＨｚ）又は地上波デジタル放送波（４７０ＭＨｚ〜７７０ＭＨｚ）の全受信周波数帯域の信号を受信する。また、携帯電話装置１は、左右のスプリングコイルの長さを変更しなくても、左右のスプリングコイルの巻き数やピッチを異ならすことによっても、ＦＭ放送波や地上波デジタル放送波の全受信周波数帯をカバーすることができる。
【００６０】
また、携帯電話装置１は、開状態においてＦＭ放送波を受信し、閉状態において地上波デジタル放送波を受信するような構成であっても良い。また、携帯電話装置１は、閉状態から開状態に遷移したことを契機として、ＦＭ放送波を受信するアプリケーションを起動し、また、開状態から閉状態に遷移したことを契機として、地上波デジタル放送波を受信するアプリケーションを起動する構成であっても良い。
【００６１】
また、携帯電話装置１は、図６（ａ）、（ｂ）に示すように、メインアンテナ４０ａが操作部側筐体部２の一方端部側に配置され、サブアンテナ４０ｂが操作部側筐体部２の他方端部側に配置されている。
【００６２】
このように構成されることによって、携帯電話装置１は、メインアンテナ４０ａ及びサブアンテナ４０ｂを利用して、８００ＭＨｚを中心周波数とする周波数帯において通話通信を行い、開状態においては、長さの異なるスプリングコイル４ｂを利用してＦＭ放送波の受信を行い、閉状態においては、長さの異なるスプリングコイル４ｂを利用して地上波デジタル放送波の受信を行うことができる。
【００６３】
また、携帯電話装置１は、スプリングコイル４ｂが収縮している閉状態（図６（ａ））においては、スプリングコイル４ｂの一方端部（図６（ａ）中のＡで囲った部分）と給電点５０ａ接続し、スプリングコイル４ｂをアンテナエレメントとして使用する。また、携帯電話装置１は、スプリングコイル４ｂが伸張している開状態時（図６（ｂ））においては、スプリングコイル４ｂの一方端部と給電点５０ａとの接続状態を解除し、スプリングコイル４ｂの他方端部（図６（ｂ）中のＡで囲った部分）と給電点５０ｂを接続し、スプリングコイル４ｂをアンテナエレメントとして使用する。なお、携帯電話装置１は、開状態及び閉状態のいずれにおいてもスプリングコイル４ｂの一方端部（図６（ａ）中のＡで囲った部分）と給電点５０ａ接続する構成であっても良い。
【００６４】
＜他の実施例２＞
つぎに、上述したＭＩＭＯを実現するための具体的な構成について説明する。本実施例では、携帯電話装置１は、スプリングコイル１０１、１０２により同時にデータの受信を行い、アンテナ１０３、１０４により同時にデータの送信を行う（図８）。
【００６５】
このように構成されることによって、携帯電話装置１は、２本のアンテナを組み合わせてデータの送信を行い、かつ、別の２本のアンテナを組み合わせてデータの受信を行って、送受信の帯域を広げるＭＩＭＯを実現することができる。
【００６６】
ここで、スプリングコイル１０１、１０２は、開状態と閉状態を相互に遷移することによって、長さが変化するので（図８（ａ）、（ｂ））、アンテナとして利用されると、共振周波数がずれることになる。そこで、携帯電話装置１は、詳細は後述する整合・給電方式を採用することによって、スプリングコイル１０１、１０２の一方端部とそれぞれの給電点１０５、１０６の接続状態を工夫することによって、この共振周波数のずれを吸収することができる。よって、携帯電話装置１は、開状態及び閉状態のいずれの状態においても、スプリングコイル１０１、１０２の本来的な機能（復元力）を損なうことなく、アンテナエレメントしても活用して、良好な通信を行うことができる。なお、図８（ａ）は、開状態を示し、図８（ｂ）は、閉状態を示している。
【００６７】
また、携帯電話装置１は、スプリングコイル１０１、１０２により同時にデータの送信を行い、アンテナ１０３、１０４により同時にデータの受信を行っても良い。
【００６８】
また、携帯電話装置１は、図９に示すように、４本のアンテナを組み合わせてデータの送信を行い、かつ、別の４本のアンテナを組み合わせてデータの受信を行って、送受信の帯域をさらに広げたＭＩＭＯを実現することができる。
【００６９】
具体的には、携帯電話装置１は、スプリングコイル１０１が第１スプリングコイル１０１ａと第２スプリングコイル１０１ｂに分離され、スプリングコイルガイド上を摺動するスペーサ１０１ｃが第１スプリングコイル１０１ａと第２スプリングコイル１０１ｂの間に配置される構成になっている。スペーサ１０１ｃは、第１スプリングコイル１０１ａと第２スプリングコイル１０１ｂを電気的に絶縁状態にする機能を有している。
【００７０】
また、携帯電話装置１は、第１スプリングコイル１０１ａに接続される第１給電点１０５ａと、第２スプリングコイル１０１ｂに接続される第２給電点１０５ｂと、第１給電点１０５ａに接続されるスイッチ部１０７と、接続パターンを介してスイッチ部１０７に接続される給電パッド部１０８を備えている。
【００７１】
スイッチ部１０７は、制御部４５に接続されており、制御部４５の制御にしたがって、ＯＮ状態とＯＦＦ状態の切り替えを行う。制御部４５は、開状態を検知した場合には、スイッチ部１０７をＯＦＦ状態に制御し、第１給電点１０５ａと給電パッド部１０８を電気的に導通しないようにする。また、制御部４５は、閉状態を検知した場合には、スイッチ部１０７をＯＮ状態に制御し、第１給電点１０５ａと給電パッド部１０８が電気的に導通するようにする。また、携帯電話装置１は、閉状態においては、スイッチ部１０７を介して第１給電点１０５ａと給電パッド部１０８が電気的に導通し、第１スプリングコイル１０１ａと給電パッド部１０８とが高周波的に接続する構成になっている。
【００７２】
したがって、携帯電話装置１は、閉状態においては、第１スプリングコイル１０１ａと第１給電点１０５ａが直接的に接続されないが、給電パッド部１０８とスイッチ部１０７を介して、第１スプリングコイル１０１ａと第１給電点１０５ａを電気的に接続するので、第１スプリングコイル１０１ａをアンテナエレメントとしても活用することができる。また、携帯電話装置１は、開状態及び閉状態のいずれにおいても第２スプリングコイル１０１ｂと第２給電点１０５ｂが電気的に接続される構成であるので、第２スプリングコイル１０１ｂもアンテナエレメントとしても活用することができる。
【００７３】
また、スプリングコイル１０２側も同様に、携帯電話装置１は、スプリングコイル１０２が第１スプリングコイル１０２ａと第２スプリングコイル１０２ｂに分離され、スプリングコイルガイド上を摺動するスペーサ１０２ｃが第１スプリングコイル１０２ａと第２スプリングコイル１０２ｂの間に配置される構成になっている。スペーサ１０２ｃは、第１スプリングコイル１０２ａと第２スプリングコイル１０２ｂを電気的に絶縁状態にする機能を有している。
【００７４】
また、携帯電話装置１は、第１スプリングコイル１０２ａに接続される第１給電点１０６ａと、第２スプリングコイル１０２ｂに接続される第２給電点１０６ｂと、第１給電点１０６ａに接続されるスイッチ部１０９と、接続パターンを介してスイッチ部１０９に接続される給電パッド部１１０を備えている。
【００７５】
スイッチ部１０９は、制御部４５に接続されており、制御部４５の制御にしたがって、ＯＮ状態とＯＦＦ状態の切り替えを行う。制御部４５は、開状態を検知した場合には、スイッチ部１０９をＯＦＦ状態に制御し、第１給電点１０６ａと給電パッド部１１０を電気的に導通しないようにする。また、制御部４５は、閉状態を検知した場合には、スイッチ部１０９をＯＮ状態に制御し、第１給電点１０６ａと給電パッド部１１０が電気的に導通するようにする。また、携帯電話装置１は、閉状態においては、スイッチ部１０９を介して第１給電点１０６ａと給電パッド部１１０が電気的に導通し、第１スプリングコイル１０１ａと給電パッド部１１０とが高周波的に接続する構成になっている。
【００７６】
したがって、携帯電話装置１は、閉状態においては、第１スプリングコイル１０２ａと第１給電点１０６ａが直接的に接続されないが、給電パッド部１１０とスイッチ部１０９を介して、第１スプリングコイル１０２ａと第１給電点１０６ａを電気的に接続するので、第１スプリングコイル１０２ａをアンテナエレメントとしても活用することができる。また、携帯電話装置１は、開状態及び閉状態のいずれにおいても第２スプリングコイル１０２ｂと第２給電点１０５ｂが電気的に接続される構成であるので、第２スプリングコイル１０２ｂもアンテナエレメントとしても活用することができる。
【００７７】
また、携帯電話装置１は、アンテナ１０３ａ、１０３ｂ、１０４ａ、１０４ｂを備えている。
このように構成されることによって、携帯電話装置１は、４本のアンテナ（アンテナ１０３ａ、１０３ｂ、１０４ａ、１０４ｂ）を組み合わせてデータの送信を行い、かつ、別の４本のアンテナ（第１スプリングコイル１０１ａ、第２スプリングコイル１０１ｂ、第１スプリングコイル１０２ａ及び第２スプリングコイル１０２ｂ）を組み合わせてデータの受信を行って、送受信の帯域を広げるＭＩＭＯを実現することができる。
【００７８】
また、第１スプリングコイル１０１ａ、第２スプリングコイル１０１ｂ、第１スプリングコイル１０２ａ及び第２スプリングコイル１０２ｂは、開状態と閉状態を相互に遷移することによって、長さが変化するので（図９（ａ）、（ｂ））、アンテナとして利用されると、共振周波数がずれることになる。そこで、携帯電話装置１は、詳細は後述する整合・給電方式を採用することによって、第１スプリングコイル１０１ａの一方端部と第１給電点１０５ａ（閉状態においては、第１スプリングコイル１０１ａの一方端部と給電パッド部１０８）、第２スプリングコイル１０１ｂの一方端部と第２給電点１０５ｂ、第１スプリングコイル１０２ａの一方端部と第１給電点１０６ａ（閉状態においては、第１スプリングコイル１０２ａの一方端部と給電パッド部１１０）及び第２スプリングコイル１０２ｂの一方端部と第２給電点１０６ｂの接続状態を工夫することによって、この共振周波数のずれを吸収することができる。
【００７９】
よって、携帯電話装置１は、開状態及び閉状態のいずれの状態においても、第１スプリングコイル１０１ａ、第２スプリングコイル１０１ｂ、第１スプリングコイル１０２ａ及び第２スプリングコイル１０２ｂの本来的な機能（復元力）を損なうことなく、アンテナエレメントしても活用して、良好な通信を行うことができる。なお、図９（ａ）は、開状態を示し、図８（ｂ）は、閉状態を示している。
【００８０】
また、携帯電話装置１は、第１スプリングコイル１０１ａ、第２スプリングコイル１０１ｂ、第１スプリングコイル１０２ａ及び第２スプリングコイル１０２ｂにより同時にデータの送信を行い、アンテナ１０３ａ、１０３ｂ、１０４ａ、１０４ｂにより同時にデータの受信を行っても良い。
【００８１】
＜整合・給電方式の具体例＞
つぎに、整合・給電方式について説明する。なお、以下では説明の便宜上、開状態においては、スプリングコイル１０１の一方端部と給電点１０５の接続状態（図８（ａ））を代表とし、閉状態においては、スプリングコイル１０１の一方端部と給電点１０５の接続状態（図８（ｂ））を代表として説明する。
【００８２】
例えば、図１０（ａ）に示すように、スプリングコイル１０１の一方端側と給電点１０５とを鍍金ストロー１１１により接続する。鍍金ストロー１１１とは、例えば、樹脂により構成されている中空の円筒において、外側が金属で鍍金されている部材のことである。
【００８３】
スプリングコイル１０１と鍍金ストロー１１１とは、容量結合により高周波的に接続されている。また、給電点１０５と鍍金ストロー１１１とは、接続線により電気的に接続されている。
【００８４】
よって、携帯電話装置１は、スプリングコイル１０１と鍍金ストロー間における容量結合がインピーダンス不整合（図１０（ａ）中のＬ分）を緩和するので、開状態と閉状態のいずれにおいても、良好な通信を行うことができる。
【００８５】
また、携帯電話装置１は、図１０（ｂ）に示すように、スプリングコイル１０１と給電点１０５を給電ランド１１２により接続する構成であっても良い。このような構成の場合には、給電ランド１１２と給電点１０５は、第１給電線１１３ａと、第１給電線１１３ａとは長さが異なる第２給電線１１３ｂにより結線されている。
【００８６】
ここで、第１給電線１１３ａと第２給電線１１３ｂの長さを異ならせることによって、給電ランド１１２と給電点１０５の間で、インピーダンス整合回路が形成されることになる。例えば、携帯電話装置１は、スプリングコイル１０１により受信された高周波電流が、給電ランド１１２から第１給電線１１３ａを介して給電点１１５に到達する経路と、給電ランド１１２から第２給電線１１３ｂを介して給電点１１５に到達する経路に分岐するので、インピーダンス整合が図られ、インピーダンスの不整合を緩和することができる。
【００８７】
また、インピーダンス整合回路として機能するには、第１給電線１１３ａと第２給電線１１３ｂの長さの調整によって行える。ここで、第１給電線１１３ａに対して第２給電線１１３ｂを比較的長くすることにより広帯域化に寄与することが実験により判明している。
【００８８】
よって、携帯電話装置１は、給電ランド１１２と給電点１０５の間を長さの異なる第１給電線１１３ａと第２給電線１１３ｂにより結線するので、開状態と閉状態におけるインピーダンス不整合（図１０（ｂ）中のＬ分）を緩和することができ、開状態と閉状態のいずれにおいても、良好な通信を行うことができる。
【００８９】
＜他の実施例３＞
つぎに、上述したＡＭ放送波を受信するための具体的な構成について説明する。なお、以下では、説明の便宜上、スプリングコイル１０２のみをアンテナエレメントして利用するものとして説明する。
【００９０】
携帯電話装置１は、図１１に示すように、スプリングコイル１０２の一方端部に接続される給電点１０６と、給電点１０６に接続されるスイッチ部１２１と、接続パターンを介してスイッチ部１２１に接続される給電パッド部１２２を備えている。また、携帯電話装置１は、スプリングコイル１０２の他方端側にコンデンサ１２３を介して給電点１０６が接続されており、ループアンテナを構成している。
【００９１】
コンデンサ１２３は、直流信号を遮断しつつ、高周波信号であるＡＭ放送波（５２２ｋＨｚ〜１６２９ｋＨｚ）を通過させるような容量に設定しておく。
また、スプリングコイル１０２により形成される中空部分に挿入されるスプリングコイルガイドは、フェライトを含む部材で構成されていることが好ましい。また、スプリングコイルガイド４ｃの外形の形状は、丸型の形状又は四角形の形状が好ましい。
【００９２】
また、スイッチ部１２１は、制御部４５に接続されており、制御部４５の制御にしたがって、ＯＮ状態とＯＦＦ状態の切り替えを行う。制御部４５は、開状態を検知した場合には、スイッチ部１２１をＯＦＦ状態に制御し、給電点１０６と給電パッド部１２２を電気的に導通しないようにする。また、制御部４５は、閉状態を検知した場合には、スイッチ部１２１をＯＮ状態に制御し、給電点１０６と給電パッド部１２２が電気的に導通するようにする。また、携帯電話装置１は、閉状態においては、スイッチ部１２１を介して給電点１０６と給電パッド部１２２が電気的に導通し、スプリングコイル１０２と給電パッド部１２２とが高周波的に接続する構成になっている。
【００９３】
したがって、携帯電話装置１は、開状態においては（図１１（ａ））、スイッチ部１２１がＯＦＦ状態になるので、コンデンサ１２３を介して、給電点１０６にスプリングコイル１０２の両端部が接続されて、ループアンテナを構成し、一方、閉状態においては（図１１（ｂ））、スイッチ部１２１がＯＮ状態になるので、スイッチ部１２１、給電パッド部１２２及びコンデンサ１２３を介して、給電点１０６にスプリングコイル１０２の両端部が接続されて、ループアンテナを構成するので、スプリングコイル１０２をアンテナエレメントとしても活用することができる。
【００９４】
＜他の実施例４＞
また、上述した実施例では、開状態及び閉状態の２段のスライド式の携帯電話装置１について説明したが、本発明に係る携帯電話装置の形態としては特にこれに限られず、例えば、３段以上の多段のスライド式でも良い。
【００９５】
ここで、３段のスライド式の携帯電話装置１について、段階に応じてアプリケーションをどのように切り替え制御を行うかについて説明する。
携帯電話装置１は、開状態の一つである伸張状態（図１２（ａ））と、開状態の一つである半伸張状態（図１２（ｂ））と、閉状態（図１２（ｃ））の３状態に遷移可能に構成されている。
【００９６】
携帯電話装置１は、例えば、伸張状態においてＦＭ放送波を受信し、半伸張状態において地上波デジタル放送波のローバンド帯（４７０ＭＨｚ〜６２０ＭＨｚ）を受信し、閉状態において地上波デジタル放送波のハイバンド帯（６２０ＭＨｚ〜７７０ＭＨｚ）を受信するように構成される。
また、携帯電話装置１は、伸張状態に遷移したことを契機として、ＦＭ放送波を受信するアプリケーションを起動し、また、半伸張状態又は閉状態に遷移したことを契機として、地上波デジタル放送波を受信するアプリケーションを起動する構成であっても良い。
【００９７】
このようにして、携帯電話装置１は、多段のスライド式においても、スムーズに状態を遷移させるスプリングコイル１０１、１０２の本来的な機能（復元力）を損なうことなく、スプリングコイル１０１、１０２をアンテナエレメントしても活用することができる。
【符号の説明】
【００９８】
１  携帯電話装置
２  操作部側筐体部
３  表示部側筐体部
４  スライドモジュール
４ａ  スプリングガイド
４ｂ  スプリングコイル
４ｃ  スプリングコイルガイド
４ｄ  可動部
４ｅ  壁面
４ｆ  開口部
４ｇ  突起部
４０ａ  メインアンテナ
４０ｂ  サブアンテナ
５０  通信部
５０ａ  給電点
【図１】
0005462683.tif 000002
【図２】
0005462683.tif 000003
【図３】
0005462683.tif 000004
【図４】
0005462683.tif 000005
【図５】
0005462683.tif 000006
【図６】
0005462683.tif 000007
【図７】
0005462683.tif 000008
【図８】
0005462683.tif 000009
【図９】
0005462683.tif 000010
【図１０】
0005462683.tif 000011
【図１１】
0005462683.tif 000012
【図１２】
0005462683.tif 000013